(57)【要約】      （修正有）【課題】衣類乾燥機及びその制御方法を提供する。【解決手段】センサーを利用して衣類の状態を検出する。そして、検出された前記衣類の状態に基づいて前記衣類の乾燥、脱臭及びシワ除去を全て行う複合乾燥機能と、前記衣類のシワを除去するシワ除去機能及び乾燥機能と、前記衣類の水分を乾かす乾燥機能の中で、少なくとも一つの機能を行う。このように、脱臭機能とシワ除去機能を付加することによって、衣類の乾燥はもちろん、臭気及びシワを除去させられ、且つ、受納された衣類の状態を検出し、その検出結果に基づいて衣類を乾燥したり、臭気を除去したりすることによって、衣類をいつでも着られる状態に長期間保管できる。【選択図】図４
2005040580.tif 000002
【特許請求の範囲】
【請求項１】
センサーを利用して衣類の状態を検出し；
検出された前記衣類の状態に基づいて前記衣類の乾燥、脱臭及びシワ除去を全て行う複合乾燥機能と、前記衣類のシワを除去するシワ除去機能及び乾燥機能と、前記衣類の水分を乾かす乾燥機能の中で少なくとも一つの機能を行う衣類乾燥機の制御方法。
【請求項２】
湿度センサーを利用して衣類の湿度を検出し、ガスセンサーを利用して衣類の臭気程度を検出することによって前記衣類の状態を検出し；
前記衣類の臭気程度が基準値を超過すると、前記複合乾燥機能を行い；
前記衣類の湿度と臭気程度ともそれぞれの基準値以下なら、前記シワ除去機能を行い；
前記衣類の湿度が前記基準値を超過し、前記衣類の臭気程度が前記基準値以下なら、前記乾燥機能を行うことを特徴とする請求項１に記載の衣類乾燥機の制御方法。
【請求項３】
前記衣類が受納されるチャンバーと、前記チャンバー内に高圧の空気を供給する送風器とを含む衣類乾燥機の制御方法において、
前記高圧の空気を利用して前記衣類の水分及び臭気を前記チャンバー内に拡散させ；
前記湿度センサーとガスセンサーを利用して前記チャンバー内の空気中に広がっている水分及び臭気の量を検出することを特徴とする請求項２に記載の衣類乾燥機の制御方法。
【請求項４】
使用者が動作モードを選択できる入力部を含む衣類乾燥機の制御方法において、
使用者により選択された動作モードの情報を前記入力部から受信し；
受信された動作モード情報に基づいて衣類の乾燥、脱臭及びシワ除去を全て行う複合乾燥機能と、前記衣類のシワを除去するシワ除去機能及び乾燥機能と、前記衣類の水分を乾かす乾燥機能の中で少なくとも一つの機能を行う衣類乾燥機の制御方法。
【請求項５】
衣類の臭気を除去し；
前記衣類に水分を供給し；
水分の供給されている前記衣類を乾かしてシワ除去と乾燥を一括的に行う衣類乾燥機の制御方法。
【請求項６】
衣類の湿度を検出する湿度センサーを含む衣類乾燥機の制御方法において；
前記湿度センサーの検出結果から前記衣類の乾燥に必要な温風の最小温度及び最小供給時間を決定し；
決定された温風の最小温度及び最小供給時間を満足するように前記温風の温度及び供給時間を制御することを特徴とする請求項５に記載の衣類乾燥機の制御方法。
【請求項７】
衣類の臭気程度を検出するガスセンサーと、オゾンを発生させるオゾン発生器とを含む衣類乾燥機の制御方法において；
前記ガスセンサーにより検出された前記衣類の臭気程度が基準値を超過すると、前記衣類の臭気が除去されるように前記オゾン発生器を利用してオゾンを発生させることを特徴とする請求項５に記載の衣類乾燥機の制御方法。
【請求項８】
衣類が受納されるチャンバーと；
前記チャンバー内に第１圧力の空気を供給するための第１ダクトと；
前記チャンバー内に第２圧力の空気を供給するための第２ダクトと；
前記第１及び第２ダクトのうち少なくとも一つのダクトから供給される空気を加熱するヒータと；
前記第１及び第２ダクトのうち少なくとも一つのダクトを通じてオゾンを供給するためのオゾン発生器と；を含む衣類乾燥機。
【請求項９】
前記第１圧力が前記第２圧力に比べて相対的に高いことを特徴とする請求項８に記載の衣類乾燥機。
【請求項１０】
前記第１ダクトが前記チャンバーの側壁内部に設けられることを特徴とする請求項８に記載の衣類乾燥機。
【請求項１１】
前記チャンバーの内壁に多数の通気口が形成され、前記第１ダクトが前記多数の通気口と通じるように設けられ、前記多数の通気口を通じて前記チャンバー内に空気が供給されることを特徴とする請求項８に記載の衣類乾燥機。
【請求項１２】
前記チャンバーを選択的に開閉するためのドアをさらに含み；
前記ドアが透明部材を含み、該透明部材を通じて、前記ドアが閉鎖された状態でも前記チャンバーの内部を目視できるようになっていることを特徴とする請求項８に記載の衣類乾燥機。
【請求項１３】
衣類が受納されるチャンバーと；
前記チャンバーに供給される空気を加熱して温風を発生させるヒータと；
前記チャンバーにオゾンを供給するオゾン発生器と；
前記衣類を長期間保管するため、前記衣類の湿度及び/または臭気程度にしたがって乾燥機能及び/または脱臭機能が周期的に行われるように前記ヒータ及び/またはオゾン発生器を制御する制御部とを含む衣類保管装置。
【請求項１４】
衣類を受納するチャンバーと；
前記チャンバー内に水分を選択的に供給する加湿器と；
前記チャンバー内に選択的に熱を供給するヒータとを含む装置。
【請求項１５】
前記チャンバー内に選択的にオゾンを供給するオゾン発生器と；
前記チャンバーに供給されるオゾンを選択的に除去するオゾン除去器とをさらに含むことを特徴とする請求項１４に記載の装置。
【請求項１６】
前記チャンバーと連通して前記チャンバーの空気を循環させる送風器をさらに含むことを特徴とする請求項１５に記載の装置。
【請求項１７】
前記オゾン除去器は、前記送風器に連結されると同時に前記送風器と前記チャンバーとの間に位置することを特徴とする請求項１６に記載の装置。
【請求項１８】
前記チャンバーと前記送風器との間に位置してチャンバー内の衣類から落ちた異物を濾過するフィルタをさらに含むことを特徴とする請求項１６に記載の装置。
【請求項１９】
前記加湿器、ヒータ、オゾン発生器、オゾン除去器及び送風器を制御する制御器をさらに含むことを特徴とする請求項１６に記載の装置。
【請求項２０】
前記制御装置は制御部及び駆動部からなり、前記制御部は、情報を受信して前記加湿器、ヒータ、オゾン発生器、オゾン除去器及び送風器を選択的に駆動するように前記駆動部を制御することを特徴とする請求項１９に記載の装置。
【請求項２１】
前記制御部は、使用者により入力される情報を受信することを特徴とする請求項２０に記載の装置。
【請求項２２】
前記チャンバーの状態を確認するためのセンサーをさらに含み、このセンサーから前記チャンバーの状態を示す前記情報が制御部に入力されることを特徴とする請求項２１に記載の装置。
【請求項２３】
前記センサーは、湿度センサー、ガスセンサー、温度センサー、及びオゾンセンサーからなることを特徴とする請求項２２に記載の装置。
【請求項２４】
前記チャンバー内に衣類がある場合、前記センサーは前記チャンバーの状態に基づいて衣類の状態を検出し、前記制御部は前記衣類の状態に基づいて前記加湿器、ヒータ、オゾン発生器、オゾン除去器及び送風器を選択的に駆動するように駆動部を制御し、衣類の脱臭、乾燥、及びシワ除去を行うことを特徴とする請求項２３に記載の装置。
【請求項２５】
側壁内部に位置して前記送風器と連結する第１ダクトと、
側壁内部に位置して前記第１ダクトとチャンバー間を連通させて第１圧力の空気を供給する通気口とをさらに含むことを特徴とする請求項１６に記載の装置。
【請求項２６】
前記送風器と連結され、前記チャンバーと連通して第２圧力の空気を供給する第２ダクトをさらに含むことを特徴とする請求項２５に記載の装置。
【請求項２７】
前記ヒータは前記第１及び第２ダクトのうち少なくとも一つを通過する空気を加熱し；
前記オゾン発生器は前記第１及び第２ダクトを通じてオゾンを前記チャンバーに供給することを特徴とする請求項２６に記載の装置。
【請求項２８】
前記第１ダクトは内部ダクトであり、前記第２ダクトは外部ダクトであることを特徴とする請求項２６に記載の装置。
【請求項２９】
前記チャンバーを開閉するためのドアをさらに備え、該ドアはチャンバーの状態を目視できるようにする透明部材を含むことを特徴とする請求項１６に記載の装置。
【請求項３０】
衣類が受納されるチャンバーと；
前記チャンバーに熱を供給するヒータと；
前記チャンバーにオゾンを供給するオゾン発生器と；
前記チャンバーに水分を供給する加湿器と；
前記チャンバーの状態を検出するセンサーと；
前記センサーにより検出された状態にしたがって前記ヒータ、オゾン発生器、及び前記加湿器を選択的に制御して衣類の乾燥、脱臭、及びシワ除去を行う制御部とを含む装置。
【請求項３１】
使用者または前記衣類を受納しているチャンバーの状態を検出するセンサーから情報を受信し；
前記情報に基づいて前記チャンバー内の水分量がその基準値以下になる時まで複合乾燥機能、シワ除去機能、及び単純乾燥機能のうち一つを行うことを特徴とする方法。
【請求項３２】
前記複合乾燥機能は、
前記チャンバーに空気を送風し；
オゾン及び水分のうち少なくとも一つを前記チャンバーに供給し；
前記チャンバー内の臭気の程度がその基準値と同一か検出し；
前記チャンバー内の臭気の程度がその基準値を超過すれると、オゾン及び水分のうち少なくとも一つをチャンバーに供給し、前記臭気の程度が基準値以下になるまで、その臭気の程度が基準値以下になったか否か検出し；
前記臭気の程度が基準値以下になったらオゾンを除去し；
シワ除去機能を行ってなることを特徴とする請求項３１に記載の方法。
【請求項３３】
前記シワ除去機能は、
前記チャンバーに水分を供給し、前記単純乾燥機能を行ってなることを特徴とする請求項３１に記載の方法。
【請求項３４】
前記単純乾燥機能は、温風を前記チャンバーに供給してなることを特徴とする請求項３１に記載の方法。
【請求項３５】
前記センサーから情報を受信すると、前記チャンバーに空気を供給し、
前記複合乾燥機能、シワ除去機能、及び単純乾燥機能を行うに先立って、前記チャンバー内の臭気及び水分の量を検出することを特徴とする請求項３１に記載の方法。
【発明の詳細な説明】
【技術分野】
【０００１】
本発明は、衣類乾燥機に関し、さらに詳細には、衣類が受納されたチャンバー内に温風を供給して衣類を乾燥させる衣類乾燥機に関する。
【背景技術】
【０００２】
従来の衣類乾燥機では、選択した衣類を脱水して水分を殆ど除去した後、電気ヒータで加熱した熱風を強制的に送風することによって衣類を乾燥していた。かかる従来の衣類乾燥機は、回転するドラムの内部に濡れた衣類を投入してその衣類を回転させながら大量に乾燥するドラム式の衣類乾燥機がその主流をなしてきた。
【０００３】
この種の従来のドラム式の衣類乾燥機を利用して衣類を乾燥すると、多くのシワができ、必ずアイロンをかけなければならないために不便だった。特に、自然乾燥した衣類に比べてドラム式の衣類乾燥機を使って乾かした衣類はさらに多くのシワができ、アイロンがけ作業にさらに長時間がかかる問題もあった。しかも、従来のドラム式の衣類乾燥機は、衣類を大量に乾燥するために作製されたものであるので、衣類に寄生する各種の有害細菌を殺菌したり、衣類についた臭気を取り除く脱臭効果などは期待できず、単なる乾燥機能以外の効果はなく、取り扱い上の制約があった。
【発明の開示】
【発明が解決しようとする課題】
【０００４】
本発明は、脱臭機能とシワ除去機能を付加することによって、衣類の乾燥はもちろん、臭気及びシワを除去することができる衣類乾燥機及びその制御方法を提供することにその目的がある。
本発明の他の目的は、受納された衣類の状態を検出し、その検出結果に基づいて衣類を乾燥したり、臭気を除去したりすることによって、衣類をいつでも着られる状態に長期間保管できるようにすることにある。
【課題を解決するための手段】
【０００５】
上記の目的を達成するために、本発明に係る衣類乾燥機は、衣類が受納されるチャンバーと；前記チャンバーに供給される空気を加熱して温風を発生させるヒータと；前記チャンバーにオゾンを供給するオゾン発生器と；前記温風により衣類が乾燥するように前記ヒータを制御し、前記オゾンにより臭気が除去されるようにオゾン発生器を制御する制御部とを含む。
【０００６】
また、本発明に係る衣類乾燥機は、衣類を受納するチャンバーと；前記チャンバー内に水分を供給する加湿器と；前記チャンバー内に供給される熱を加熱して温風を発生させるヒータと；前記加湿器を制御して前記衣類に水分を供給し、前記ヒータを制御して前記温風により衣類の乾燥及びシワ除去を同時に行う制御部とを含む。
【０００７】
また、本発明に係る衣類乾燥機の制御方法は、センサーを利用して衣類の状態を検出し；検出された前記衣類の状態に基づいて前記衣類の乾燥、脱臭及びシワ除去を全て行う複合乾燥機能と、前記衣類のシワを除去するシワ除去機能及び乾燥機能と、前記衣類の水分を乾かす乾燥機能の中で少なくとも一つの機能を行う。
【０００８】
使用者が動作モードを選択できる入力部を含む、本発明に係る衣類乾燥機の制御方法は、使用者により選択された動作モードの情報を前記入力部から受信し；受信された動作モード情報に基づいて衣類の乾燥、脱臭及びシワ除去を全て行う複合乾燥機能と、前記衣類のシワを除去するシワ除去機能、前記衣類の水分を乾かす乾燥機能の中で少なくとも一つの機能を行う。
【０００９】
また、本発明に係る衣類乾燥機の制御方法は、衣類の臭気を除去し；前記衣類に水分を供給し；水分の供給されている前記衣類を乾かしてシワ除去と乾燥を一括的に行う。
【００１０】
また、本発明に係る衣類乾燥機は、衣類が受納されるチャンバーと；前記チャンバー内に第１圧力の空気を供給するための第１ダクトと；前記チャンバー内に第２圧力の空気を供給するための第２ダクトと；前記第１及び第２ダクトのうち少なくとも一つのダクトから供給される空気を加熱するヒータと；前記第１及び第２ダクトのうち少なくとも一つのダクトを通じて前記チャンバーにオゾンを供給するためのオゾン発生器とを含む。
【００１１】
また、本発明に係る衣類保管装置は、衣類が受納されるチャンバーと；前記チャンバーに供給される空気を加熱して温風を発生させるヒータと；前記チャンバーにオゾンを供給するオゾン発生器と；前記衣類を長期間保管するため、前記衣類の湿度及び/または臭気程度にしたがって乾燥機能及び/または脱臭機能が周期的に行われるように前記ヒータ及び/またはオゾン発生器を制御する制御部とを含む。
【発明の効果】
【００１２】
本発明は、脱臭機能とシワ除去機能を付加して衣類の乾燥の他、臭気及びシワを除去できるようにし、且つ、受納された衣類の状態を検出し、それに基づいて衣類を乾燥したり臭気を除去したりするため、衣類をいつでも着られる状態に長期間保管できる。
【発明を実施するための最良の形態】
【００１３】
以下、本発明の好ましい実施例を、添付図面を参照しつつ詳細に説明する。なお、図面中、同一の構成要素には同一の参照符号または番号を共通使用するものとする。
まず、図１は、本発明の一実施例による衣類乾燥機を示す斜視図である。図１に示すように、衣類乾燥機１００は、衣類が受納されるチャンバー１０６を含む。チャンバー１０６内の上部には、服掛け１１６を用いて服を掛け得る棒１０８が横方向に取り付けられる。チャンバー１０６内の側壁には多数の通気口１１０が形成される。これらの通気口１１０は、後述する内部ダクト(図３の３０２)に通じている。
【００１４】
このような構造により内部ダクト３０２から供給される空気がチャンバー１０６の両側壁に形成される多数の通気口１１０を通じてチャンバー１０６内に供給される。チャンバー１０６の底面には、チャンバー１０６内の衣類から落ちた汚れなどをろ過するためのフィルタ１１４が設けられる。チャンバー１０６の上部と下部にそれぞれ設けられる上部電装室１２０と下部電装室１１８は、外部ダクト１１２を介してお互いに連通する。下部及び上部電装室１１８、１２０には衣類の乾燥、脱臭及びシワ除去に必要な装置、制御部、回路基板などが配設される(図３参照)。チャンバー１０６を開閉するためのドア１０２は、透明部材１０４を含む。この透明部材１０４を通じて使用者はチャンバー１０６の内部状態を目視することができる。
【００１５】
図２は、図１に示した衣類乾燥機の制御系統を示すブロック図である。図２に示すように、衣類乾燥機１００の動作全般を制御する制御部２０２の入力ポートには、入力部２０４とセンサー部２０６が連結される。入力部２０４は、使用者が衣類乾燥機１００の動作モードを選択したり設定値などを入力できるようにする。制御部２０２は、入力部２０４を通じて動作モード情報や設定値情報を受信し、該当情報に基づいた制御を行う。センサー部２０６は、湿度センサー２０６ａ、ガスセンサー２０６ｂ、温度センサー２０６ｃ、及びオゾンセンサー２０６ｄを含む。湿度センサー２０６ａは、チャンバー１０６内の湿度を検出するためのものであり、この湿度センサー２０６ａの検出結果に基づいて制御部２０２は衣類に含まれている水分の量を判別する。ガスセンサー２０６ｂは、チャンバー１０６内の衣類の臭気程度を検出するためのものであり、臭気を構成する特定成分の量を検出する。このガスセンス２０６ｂの検出結果に基づいて制御部２０２は衣類の臭気の種類と程度を判別する。温度センサー２０６ｃは、チャンバー１０６内の空気の温度を検出するためのものであり、オゾンセンサー２０６ｄは、チャンバー１０６内の空気中に含まれているオゾンの量を検出するためのものである。これらのセンサーら２０６ａ〜２０６ｄは、それぞれのセンサーが検出しようとする対象を検出できる位置であれば、本発明に係る衣類乾燥機１００のいずれの位置にも設置可能である。
【００１６】
制御部２０２の出力ポートには駆動部２０８が連結され、この駆動部２０８には、ヒータ２１０、加湿器２１２、オゾン発生器２１４、オゾン除去器２１６、及び送風器２１８が連結される。ヒータ２１０は、チャンバー１０６に供給される空気を加熱して温風を発生させることによって衣類を乾かす。加湿器２１２は、チャンバー１０６内に水分を供給するためのものである。この加湿器２１２からチャンバー１０６内に水分を供給すると、衣類は水分を含むことになり、この水分を含んだ衣類に温風を加え乾燥すると、衣類にできたシワが除去される。オゾン発生器２１４は、オゾンを発生させるためのものであり、オゾンを発生させてチャンバー１０６に供給することによって衣類の臭気を効率よく除去することができる。オゾン除去器２１６は、衣類に対する脱臭が完了した後、チャンバー１０６内にあるオゾンを除去するためのものである。送風器２１８は、チャンバー１０６内に相対的に高圧と低圧の空気を吹き込むためのものである。
【００１７】
図３は、図１に示した衣類乾燥機の構成を示す断面図である。図３に示すように、チャンバー１０６の下部に設けられる下部電装室１１８には、送風器２１８、オゾン発生器２１４及びオゾン除去器２１６が配設され、上部電装室１２０にはヒータ２１０と加湿器２１２が配設される。
【００１８】
送風器２１８は、チャンバー１０６内の空気を吸入及び圧縮して相対的に高圧と低圧の風圧を選択的に発生させる。送風器２１８から高圧に圧縮された空気は、チャンバー１０６の両側壁に形成される内部ダクト３０２に沿って進行しながら多数の通気口１１０を通じてチャンバー１０６内に供給される。この高圧の空気はチャンバー１０６内に受納された衣類の周辺に強い風を形成させ、衣類に付いている臭気と水分がチャンバー１０６の内部空間に均一に広がるようにする。送風器２１８から吐出される低圧の空気は、外部ダクト１１２を通じてチャンバー１０６の上部に供給される。外部ダクト１１２にはオゾン発生器２１４とヒータ２１０が連結されるが、オゾン発生器２１４の動作により外部ダクト１１２を通じてチャンバー１０６にオゾンが供給され、ヒータ２１０の動作によりチャンバー１０６に温風が供給される。加湿器２１２は水分を発生させてチャンバー１０６内に供給する。送風器２１８の吸入側にはオゾン除去器２１６が配設され、チャンバー１０６から送風器２１８に吸入される空気中のオゾンを除去する。
【００１９】
図４及び図５は、図１に示した衣類乾燥機の制御方法を説明するための順序図であって、図４は、湿度センサー２０６ａとガスセンサー２０６ｂにより検出される衣類の状態にしたがって複合乾燥機能、シワ除去機能、単純乾燥機能のうち少なくとも一つの機能が行われるようにする自動制御方法を示し、図５は、使用者が選択した動作モードにしたがって複合乾燥機能、シワ除去機能、単純乾燥機能のうち少なくとも一つの機能が行われるようにする受動制御方法を示すものである。
【００２０】
図４に示すように、まず、衣類の臭気と水分がチャンバー１０６の内部空間に広がるように比較的短時間の間にチャンバー１０６内に高圧の空気を吹き込み(４０２段階)、湿度センサー２０６ａとガスセンサー２０６ｂによりチャンバー１０６の内部空気中の湿度と臭気を検出する(４０４段階)。
【００２１】
すると、制御部２０２は、湿度センサー２０６ａとガスセンサー２０６ｂの前記検出結果に基づいて複合乾燥機能、シワ除去機能、及び単純乾燥機能の中でどの機能を行うか決定する。すなわち、チャンバー１０６の内部空気中に基準値を超過する(つまり、過多な)量の水分と臭気が検出されたら、脱臭、シワ除去、乾燥が全て行われる複合乾燥機能を行い、水分及びと臭気とも基準値以下ならシワ除去機能を行い、水分は基準値を超過し臭気は基準値以下なら単純乾燥機能を行う。
【００２２】
４０６段階で、チャンバー１０６内の水分と臭気が全て各々の基準値を超過して複合乾燥機能が要求されると判断されたら、衣類に付いている埃などの異物が衣類から落ちるようにチャンバー１０６内に再び高圧の空気を吹き込む(４０８段階)。高圧の空気により衣類から落ちた異物は送風器２１８の吸入側に吸入されながらフィルタ１１４によりろ過される。
【００２３】
衣類の異物が除去された後には、オゾン発生器２１４がオゾンを発生させてチャンバー１０６内に供給する(４１０段階)。このオゾンによりチャンバー１０６内の臭気が除去されるが、加湿器２１２を用いてチャンバー１０６内に水分を供給する場合にもその水分によってある程度の脱臭効果が得られる(４１２段階)。
【００２４】
４１２段階で、ガスセンサー２０６ｂにより検出されたチャンバー１０６内の臭気程度が基準値以下なら(つまり、臭気が十分に除去されたら)、オゾン除去器２１６を駆動してチャンバー１０６内のオゾンを除去する(４１４段階)。このように衣類の脱臭が完了すると、加湿器２１２を利用してチャンバー１０６内に再び水分を供給する(４１６段階)。衣類が水分を含んだ状態でヒータ２１０を駆動してチャンバー１０６に温風を供給する(４１８段階)。このように水分を含んだ衣類を、温風を利用して加熱すると、衣類に形成されているシワが除去される。湿度センサー２０６ａによりチャンバー１０６内の湿度を検出し、湿度が基準値以下に減少されたら、衣類が十分に乾いたものと判断し、複合乾燥機能の遂行を終了する(４２０段階)。
【００２５】
一方、４０６段階で、チャンバー１０６内の水分と臭気が全てそれぞれの基準値以下なら、シワ除去機能が要求されているか判断し(４２２段階)、シワ除去機能が要求されるものを判断したら、加湿により衣類に水分を供給し(４１６段階)、温風を利用して衣類を乾かすことによって衣類に形成されているシワを除去させる(４１８段階)。この時、温風の温度と供給時間は湿度センサー２０６ａの検出結果を基準にして決定し、制御部２０２は決定された温風の温度及び供給時間を満足するように送風器２１８とヒータ２１０を制御する。
【００２６】
また、４２２段階で、チャンバー１０６内の水分は基準値を超過し、臭気は基準値以下であることから単純乾燥機能が要求されるものを判断したら、４１８段階に進行し、温風を利用して衣類を乾燥する。
【００２７】
本発明に係る衣類乾燥機の受動制御方法は、図５に示すように、使用者が複合乾燥機能、シワ除去機能、単純乾燥機能の中で少なくとも一つの機能が行われるように動作モードを選択すると(５０２段階)、制御部２０２は、入力部２０４を通じて使用者が選択した動作モードの情報を受信し、その情報に基づいて該当機能が行われるように衣類乾燥機１００を制御する(５０４段階)。続く複合乾燥機能やシワ除去機能、単純乾燥機能は上に述べた図４におけると同様なので、その詳細は省略するものとする。
【００２８】
本発明に係る衣類乾燥機及びその制御方法において、乾燥及び脱臭、乾燥及びシワ除去、シワ除去、乾燥などを選択的に行えるように制御部２０２の制御アルゴリズムとその他の装置構成を変更することも可能である。
【図面の簡単な説明】
【００２９】
【図１】本発明の一実施例による衣類乾燥機を示す斜視図である。
【図２】図１に示した衣類乾燥機の制御系統を示すブロック図である。
【図３】図１に示した衣類乾燥機の構成を示す断面図である。
【図４】本発明の一実施例による衣類乾燥機の制御方法を示す順序図である。
【図５】本発明の一実施例による衣類乾燥機の制御方法を示す順序図である。
【符号の説明】
【００３０】
１００：衣類乾燥機
１０６：チャンバー
１０８：棒
１１０：通気口
１１２：外部ダクト
１１４：フィルタ
１１８：下部電装室
１２０：上部電装室
２１０：ヒータ
２１２：加湿器
２１４：オゾン発生器
２１６：オゾン除去器
２１８：送風器
３０２：内部ダクト
【図１】
2005040580.tif 000003
【図２】
2005040580.tif 000004
【図３】
2005040580.tif 000005
【図４】
2005040580.tif 000006
【図５】
2005040580.tif 000007